(57)【要約】【課題】登録された画像データに対する印刷設定を簡単に行うことができる画像処理システムを提供すること。【解決手段】画像データを登録するためのサーバ２０と、該サーバに画像データを登録するための登録元クライアント１０と、前記サーバに対し当該サーバに登録された画像データをプリントする印刷指示を行う印刷指示クライアント３０と、前記印刷指示にかかる画像データをプリントするプリンタ４０とを有する画像処理システムにおいて、前記サーバ２０は、前記登録元クライアント１０から画像データの登録を受け付ける画像登録手段２１と、登録された画像データを蓄積する画像データ蓄積手段２２と、登録された画像データの原稿情報を蓄積する原稿情報蓄積手段２３と、登録された画像データと当該画像データの原稿情報を関連づけるための画像管理テーブル２４ａを制御する画像管理手段２４とを有することを特徴とする画像処理システム。【選択図】　　　　図２
2004030472.tif 000002
【特許請求の範囲】
【請求項１】
画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、
前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段とを有することを特徴とする画像処理システム。
【請求項２】
画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、
前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段と、登録された画像データに対する印刷設定を受け付けるための印刷設定指示手段と、印刷データを前記プリンタに送信する印刷データ送信手段とを有し、
前記画像管理手段は、前記印刷指示手段により印刷設定を受け付けると、印刷設定にかかる画像データ及び該画像データに関連づけられた原稿情報を前記画像データ蓄積手段及び前記原稿情報蓄積手段から抽出し、
前記印刷データ送信手段は、前記印刷設定指示手段で受け付けた印刷設定と共に抽出された画像データと当該画像データの原稿情報とを印刷データとして送信することを特徴とする記載の画像処理システム。
【請求項３】
画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、
前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段と、登録された画像データに対する印刷設定を受け付けるための印刷設定指示手段と、印刷データを前記プリンタに送信する印刷データ送信手段とを有し、
前記プリンタは、送信された前記印刷データの印刷設定を解析するジョブ設定解析手段と、前記印刷データの原稿情報を解析する原稿情報解析手段と、該ジョブ設定解析手段及び原稿情報解析手段で解析された情報を基に前記印刷データの画像データをＰＤＬ展開するＰＤＬ展開手段と、該ＰＤＬ展開手段で展開されたデータに基づいて印刷を行う印刷手段とを有し、
前記画像管理手段は、前記印刷指示手段により印刷設定を受け付けると、印刷設定にかかる画像データ及び該画像データに関連づけられた原稿情報を前記画像データ蓄積手段及び前記原稿情報蓄積手段から抽出し、
前記印刷データ送信手段は、前記印刷設定指示手段で受け付けた印刷設定と共に抽出された画像データと当該画像データの原稿情報とを印刷データとして送信することを特徴とする画像処理システム。
【請求項４】
画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、
前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段と、登録された画像データに対する印刷設定を受け付けるための印刷設定指示手段と、印刷データを前記プリンタに送信する印刷データ送信手段とを有し、
前記プリンタは、送信された前記印刷データの印刷設定を解析するジョブ設定解析手段と、前記印刷データの原稿情報を解析する原稿情報解析手段と、該ジョブ設定解析手段及び原稿情報解析手段で解析された情報を基に前記印刷データの画像データをＰＤＬ展開するＰＤＬ展開手段と、該ＰＤＬ展開手段で展開されたデータに基づいて印刷を行う印刷手段とを有し、
前記画像管理手段は、前記印刷指示手段により印刷設定を受け付けると、印刷設定にかかる画像データ及び該画像データに関連づけられた原稿情報を前記画像データ蓄積手段及び前記原稿情報蓄積手段から抽出し、
前記印刷データ送信手段は、前記印刷設定指示手段で受け付けた印刷設定と共に抽出された画像データと当該画像データの原稿情報とを印刷データとして送信する前記ジョブ設定解析手段は、原稿情報の解析結果とジョブ設定とを関連づけたジョブ設定テーブルを有し、
前記印刷設定が自動設定である旨の解析がされた場合、前記ジョブ設定テーブルから前記原稿情報解析手段における原稿情報の解析結果に対応するジョブ設定に基づいてジョブモードを決定することを特徴とする画像処理システム。
【請求項５】
前記原稿情報は、画像の向き、縦書き又は横書きの情報、章区切りを含むことを特徴とする請求項１〜４のいずれかに記載の画像処理システム。
【請求項６】
前記画像管理テーブルは、画像識別子、ユーザ情報、原稿情報ファイル名、画像データファイル名を関連づけて記憶していることを特徴とする請求項１〜５のいずれかに記載の画像処理システム。
【発明の詳細な説明】
【０００１】
【発明の属する技術分野】
本発明は、画像処理システムに関し、詳しくは、一旦サーバに蓄えられた画像データをクライアントの指示で印刷する画像処理システムに関する。
【０００２】
【従来の技術】
従来、画像データをコンピュータ等の端末装置（以下、クライアントともいう）からサーバを介してプリンタに送ることで画像をプリントする画像処理システムが知られている。
【０００３】
このような画像処理システムにおいて、端末装置からサーバに一旦画像データを登録してすぐにプリンタに送らずに、該端末装置または別の端末装置からサーバに対して印刷要求をすることによって、当該画像データをプリンタに送ってプリントすることもできる。
【０００４】
クライアントから印刷要求をする際に、各種印刷機能の設定（以下、印刷設定ともいう）を行うが、印刷機能の中には、原稿の情報を必要とするものがあり、すでに画像データとしてサーバに登録されているものを印刷する場合には、設定が困難なものがある。例えば、画像の向きや、縦書き／横書きの違いによって、ステープル、パンチの最適な位置が異なってくる。また、章分け機能や、差込ページ機能を使用するには、章の区切り情報が必要になる。
【０００５】
これらの情報を、クライアント上のプレビュー情報を基に、その都度行ってもよいが、設定操作が非常に煩雑になる上に、印刷するたびに毎回同じような操作を行わなければならない。
【０００６】
【発明が解決しようとする課題】
本発明の課題は、登録された画像データに対する印刷設定を簡単に行うことができる画像処理システムを提供することにある。
【０００７】
本発明の他の課題は、本明細書の以下の記載によって明らかになる。
【０００８】
【課題を解決するための手段】
上記課題は以下の各発明によって解決される。
【０００９】
（請求項１）画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段とを有することを特徴とする画像処理システム。
【００１０】
（請求項２）画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段と、登録された画像データに対する印刷設定を受け付けるための印刷設定指示手段と、印刷データを前記プリンタに送信する印刷データ送信手段とを有し、前記画像管理手段は、前記印刷指示手段により印刷設定を受け付けると、印刷設定にかかる画像データ及び該画像データに関連づけられた原稿情報を前記画像データ蓄積手段及び前記原稿情報蓄積手段から抽出し、前記印刷データ送信手段は、前記印刷設定指示手段で受け付けた印刷設定と共に抽出された画像データと当該画像データの原稿情報とを印刷データとして送信することを特徴とする記載の画像処理システム。
【００１１】
（請求項３）画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段と、登録された画像データに対する印刷設定を受け付けるための印刷設定指示手段と、印刷データを前記プリンタに送信する印刷データ送信手段とを有し、前記プリンタは、送信された前記印刷データの印刷設定を解析するジョブ設定解析手段と、前記印刷データの原稿情報を解析する原稿情報解析手段と、該ジョブ設定解析手段及び原稿情報解析手段で解析された情報を基に前記印刷データの画像データをＰＤＬ展開するＰＤＬ展開手段と、該ＰＤＬ展開手段で展開されたデータに基づいて印刷を行う印刷手段とを有し、前記画像管理手段は、前記印刷指示手段により印刷設定を受け付けると、印刷設定にかかる画像データ及び該画像データに関連づけられた原稿情報を前記画像データ蓄積手段及び前記原稿情報蓄積手段から抽出し、前記印刷データ送信手段は、前記印刷設定指示手段で受け付けた印刷設定と共に抽出された画像データと当該画像データの原稿情報とを印刷データとして送信することを特徴とする画像処理システム。
【００１２】
（請求項４）画像データを登録するためのサーバと、該サーバに画像データを登録するための登録元クライアントと、前記サーバに対し当該サーバに登録された画像データをプリントする印刷指示を行う印刷指示クライアントと、前記印刷指示にかかる画像データをプリントするプリンタとを有する画像処理システムにおいて、前記サーバは、前記登録元クライアントから画像データの登録を受け付ける画像登録手段と、登録された画像データを蓄積する画像データ蓄積手段と、登録された画像データの原稿情報を蓄積する原稿情報蓄積手段と、登録された画像データと当該画像データの原稿情報を関連づけるための画像管理テーブルを制御する画像管理手段と、登録された画像データに対する印刷設定を受け付けるための印刷設定指示手段と、印刷データを前記プリンタに送信する印刷データ送信手段とを有し、前記プリンタは、送信された前記印刷データの印刷設定を解析するジョブ設定解析手段と、前記印刷データの原稿情報を解析する原稿情報解析手段と、該ジョブ設定解析手段及び原稿情報解析手段で解析された情報を基に前記印刷データの画像データをＰＤＬ展開するＰＤＬ展開手段と、該ＰＤＬ展開手段で展開されたデータに基づいて印刷を行う印刷手段とを有し、前記画像管理手段は、前記印刷指示手段により印刷設定を受け付けると、印刷設定にかかる画像データ及び該画像データに関連づけられた原稿情報を前記画像データ蓄積手段及び前記原稿情報蓄積手段から抽出し、前記印刷データ送信手段は、前記印刷設定指示手段で受け付けた印刷設定と共に抽出された画像データと当該画像データの原稿情報とを印刷データとして送信する前記ジョブ設定解析手段は、原稿情報の解析結果とジョブ設定とを関連づけたジョブ設定テーブルを有し、前記印刷設定が自動設定である旨の解析がされた場合、前記ジョブ設定テーブルから前記原稿情報解析手段における原稿情報の解析結果に対応するジョブ設定に基づいてジョブモードを決定することを特徴とする画像処理システム。
【００１３】
（請求項５）前記原稿情報は、画像の向き、縦書き又は横書きの情報、章区切りを含むことを特徴とする請求項１〜４のいずれかに記載の画像処理システム。
【００１４】
（請求項６）前記画像管理テーブルは、画像識別子、ユーザ情報、原稿情報ファイル名、画像データファイル名を関連づけて記憶していることを特徴とする請求項１〜５のいずれかに記載の画像処理システム。
【００１５】
【発明の実施の形態】
本発明の好ましい実施形態について、以下詳細に説明する。
【００１６】
本発明において、画像データとは、少なくとも文章をページレイアウトしたデータのことである。かかるデータには、文章の他に画像が含まれていても良い。
【００１７】
本発明の画像処理システムにおいては、例えば、図１に示すように、前記画像データを登録するためのサーバとして画像サーバを用い、前記サーバに画像データを登録するための登録元クライアントとしてＰＣやスキャナを用い、前記サーバに対し当該サーバに登録された画像データをプリントする指示を行う印刷指示クライアントとしてＰＤＡやＰＣ等を用い、前記プリンタとして出力先プリンタを用いることが出来る。
【００１８】
画像サーバは、センターサーバとイメージサーバに分けた構成も可能であるが、ここでは、説明の簡略化のため、センターサーバとイメージサーバをまとめて、画像サーバと表現している。画像サーバ上の画像データの画像フォーマットとしては、ＰＤＦ（Ｐｏｒｔａｂｌｅ　Ｄｏｃｕｍｅｎｔ　Ｆｏｒｍａｔ）、ＴＩＦＦ（Ｔａｇｇｅｄ　Ｉｍａｇｅ　Ｆｉｌｅ　Ｆｏｒｍａｔ）等のような一般的なフォーマットが望ましい。
【００１９】
画像を登録するクライアントは、画像サーバに画像データを登録する。クライアントは、ＰＣからプリンタに印刷するときと同様の方法で、画像サーバへの登録を行えるようにしても良いし、一旦ＰＣ上で所定の画像フォーマットに変換した後、画像サーバへの登録を行ってもよい。また、ＰＣ以外にも、Ｎｅｔｗｏｒｋに接続可能なスキャナ、複合機等から、直接登録できるような構成でも良い。
【００２０】
印刷指示クライアントは、クライアント側の操作で画像サーバに接続し、登録されている画像の検索、印刷指示を行う。
【００２１】
図２は、本発明の画像処理システムの構成を示すブロック図である。
【００２２】
図２において、１０はサーバに画像データを登録するための登録元クライアントであり、２０は画像データを登録するためのサーバであり、３０はサーバ２０に対し当該サーバ２０に登録された画像データをプリントする印刷指示を行う印刷指示クライアントであり、４０は前記印刷指示にかかる画像データをプリントするプリンタである。
【００２３】
サーバ２０は、画像登録手段２１と、画像データ蓄積手段２２と、原稿情報蓄積手段２３と、画像管理手段２４とを有している。
【００２４】
画像登録手段２１は、登録元クライアント１０から画像データの登録を受け付ける。画像データの登録の受け付ける際に、画像データと共に該画像データの原稿情報の入力を該登録元クライアント１０に促すことが好ましい。
【００２５】
原稿情報の登録方法は、登録元クライアント１０上でユーザが手動で設定する形でも良いし、特定のアプリケーションと連携して、自動的に取得しても良い。
【００２６】
手動で設定する場合は、通常の印刷を行う場合に、プリンタドライバに対して設定を行うのと同様の方法で行うことも出来る。
【００２７】
スキャナクライアントから登録する場合は、スキャナ本体の操作で入力できるようにしても良い。
【００２８】
自動的に取得する場合は、例えば、文書作成ソフトにより画像データを作成した場合は、文字方向情報や、印刷方向情報、章番号情報を参照して、自動的に原稿情報を生成して登録することも考えられる。
【００２９】
本発明において原稿情報とは、原稿の内容を示す情報のことをいい、原稿の向き、縦書き又は横書きの情報、章区切りの一つ又は２つ以上を含んでいることが好ましい。
【００３０】
本発明において原稿の向きとは、画像の上辺が上下左右のうち、どちらを向いているかという情報のことをいう。かかる原稿の向きは、例えば図３に示すように、「上：０」、「右：１」、「下：２」、「左：３」のような原稿の向きに対し数値を割り当てることが好ましい。
【００３１】
本発明において縦書き又は横書きの情報とは、文字の並びが縦書きか横書きかの区別のための情報のことをいう。かかる縦書き又は横書きの情報は、例えば「横書き：０」、「縦書き：１」等のように、数値を割り当てることが好ましい。
【００３２】
本発明において章区切り情報とは、章の区切りとなるページ番号情報のことをいう。かかる章区切り情報は、例えば、第１章が１ページから２ページ、第２章が３ページから６ページ、第３章が７ページから１１ページ、第４章が１２ページから２４ページ、第５章が２５ページから２９ページ、第３０章が３０ページから…である画像データの場合は、章の先頭ページ番号の集合「１，３，７，１２，２５，３０…」を章区切り情報とすることができる。
【００３３】
画像データ蓄積手段２２は、登録元クライアント１０により登録され画像登録手段２１により登録を受け付けられた画像データを蓄積する。
【００３４】
原稿情報蓄積手段２３は、登録元クライアント１０により登録され画像登録手段２１により登録を受け付けられた画像データの原稿情報を蓄積する。
【００３５】
画像管理手段２４は、登録された画像データと当該画像データの原稿情報を関連づけるための画像管理テーブル２４ａを制御する。
【００３６】
図４は、本発明に係る画像管理テーブルの一例を示す図である。
【００３７】
図４に示す例は、原稿情報ファイル、画像データをそれぞれファイルとして構成し、画像管理テーブルでそのファイル名を管理する例である。
【００３８】
図２及び４において、画像管理テーブル２４ａは、画像の向き、縦書き／横書きの情報、章区切り情報を含むファイルとして画像管理手段２４により原稿情報蓄積手段２３に蓄積されている原稿情報と、画像データのファイルとして画像管理手段２４により画像データ蓄積手段２２に蓄積されている画像データとを関連づけている。このとき、画像管理テーブル２４ａには、画像データにかかるファイルのファイル名と当該画像データに対応する原稿情報にかかるファイルのファイル名とを、関連づけて格納される。好ましくは、かかるファイル名が格納される際に、識別子（以下、画像識別子ともいう）が付与され、かかる画像識別子も関連づけられて格納される。画像データを開く際に使用するアプリケーションを特定して画像データの素早い処理を可能とすることが出来るからである。
【００３９】
また、画像データの登録の際に、ユーザ情報の入力を前記画像登録手段２１により受け付けて、かかるファイル名が格納される際に、当該ユーザ情報も関連づけられて格納されることも好ましい。
【００４０】
ユーザ情報とは、画像データの登録を行ったユーザの情報のことであり、例えば、ユーザＩＤ、パスワード等が挙げられる。
【００４１】
ユーザ情報としてユーザＩＤ及びパスワードをファイル名と関連づけて画像管理テーブル２４ａに格納し、画像データをプリントする印刷指示を行う際に、該ユーザＩＤとパスワードにより、印刷指示の可否を判断することは好ましい。自分が登録した画像が意図しない他のユーザによりプリントされることを防止できるからである。
【００４２】
また、図２において、サーバ２０は、登録された画像データに対する印刷設定を受け付けるための印刷設定指示手段２５と、印刷データを前記プリンタに送信する印刷データ送信手段２６とを有することが好ましい。
【００４３】
印刷設定指示手段２５は、印刷指示クライアント３０から登録された画像データをプリントする印刷指示を受け付ける。印刷を行う印刷指示クライアント３０から、サーバ２０上に登録されている画像データを、指定したプリンタ４０に対して印刷するよう、サーバ２０に要求された印刷指示を受け付ける。プリンタ４０の指定は、例えば、プリンタのＩＰアドレスやＵＲＬを指定しても良いし、サーバ側で特定のプリンタ情報を保持していて、それを選択する形でも良い。あるいは、ディレクトリサービスを使用してもよい。あるいは、印刷命令は、図２に示す印刷指示クライアント３０が行う場合に限定されず、プリンタ４０自体にサーバ２０との接続、操作手段をもたせて、直接画像データの検索、印刷を行ってもよい。
【００４４】
印刷設定指示手段２５により印刷指示が受け付けられると、画像管理手段２４により印刷指示にかかる画像データと原稿情報とが抽出される。後述するように印刷設定は原稿情報に応じて決定することが好ましい。
【００４５】
このとき、印刷設定指示手段２５は、抽出された原稿情報を印刷指示クライアント３０に送信することが好ましい。印刷指示クライアント３０のユーザは、原稿情報を基に印刷設定が出来るので、原稿情報に応じた印刷設定を選択できるようになるからである。
【００４６】
かかる印刷設定としては、例えば、ステープル、パンチ機能や、章分け機能、差し込みページ機能、一枚集約機能、部数設定、トレイ設定等が挙げられる。
【００４７】
本発明において章分け機能とは、両面印刷、小冊子印刷などで、特定のページを表面に配置する機能のことをいう。例えば、両面印刷では、通常偶数ページは裏面になるが、４ページ目を章分けに指定すると、２枚目の裏が白紙となり、３枚目の表面に４ページ目が印刷される。
【００４８】
本発明において差し込みページ機能とは、指定されたページ位置に、特定の紙を挿入する。挿入紙は、例えば、他のページと別の給紙トレイから給紙したり、白紙を挿入したりする機能のことをいう。
【００４９】
本発明において一枚集約機能とは、一枚の出力用紙に、原稿の複数のページを印刷する機能をいう。一枚の出力用紙に何ページ分の原稿を印刷するかで、２ｉｎ１，４ｉｎ１，８ｉｎ１…のような呼ばれ方をする。例えば、Ａ４原稿を２ｉｎ１でＡ３に印刷すると、２ページ分の原稿が、１枚の出力用紙に印刷される。
【００５０】
このような印刷設定には、部数設定、トレイ設定など、プリンタに応じた設定が可能なものがあるが、この中には、原稿情報を必要とするものがある。
【００５１】
例えば、ステープル、パンチ機能においては、画像の向き、縦書き／横書き情報により、最適な綴じ位置が異なる。図５に示すように、ポートレート、一箇所ステープル時の場合の、横書き時、縦書き時、それぞれの最適なステープル位置がある。
【００５２】
また、章分け機能においては、両面印刷の場合、章の始めのページは表面に来るよう調整する機能であるが、これには章区切り情報が必要となる。
【００５３】
また、差し込みページ機能においては、章の区切りに、特定の用紙等を挿入する機能であるが、これには章区切り情報が必要となる。
【００５４】
一枚集約機能とは、複数ページの画像を１枚の用紙に記録する機能であるが、画像の向き、縦書き／横書き情報により、最適なページ順序が異なる。例えば、図６に示すように、２ｉｎ１、ポートレートの場合の、縦書き時、横書き時、それぞれに最適なページ順序がある。
【００５５】
これらの印刷設定において、自動設定モードを設けることもできる。この場合、プリンタ４０において、設定が行われることが好ましい。
【００５６】
印刷データ送信手段２６は、印刷指示により抽出された画像データと原稿情報とを印刷データとしてプリンタ４０に送信する。
【００５７】
印刷データとは、プリンタ４０に印刷を行わせるために必要なデータのことであり、印刷しようとする画像データと、必要に応じて原稿情報や印刷設定とを含む。
【００５８】
図７は、プリンタ４０の一例を説明するための機能ブロック図である。
【００５９】
図７において、４１は印刷データとして受信した例えばＰＪＬ（Ｐｒｉｎｔｅｒ　Ｊｏｂ　Ｌａｎｇｕａｇｅ）等の印刷設定を解析してジョブモードを決定するジョブ設定解析手段である。例えば、印刷データを受信すると、その中の印刷設定を解析してジョブモードを決定する。
【００６０】
４２は原稿情報解析手段であり、サーバ２０から原稿情報を受信した場合、その内容を解析して、解析結果をジョブ設定解析手段４１、ＰＤＬ（Ｐａｇｅ　Ｄｅｓｃｒｉｐｔｉｏｎ　Ｌａｎｇｕａｇｅ）展開手段４３にその情報を渡す。
【００６１】
４３は、ＰＤＬ展開手段であり、原稿情報解析手段４２における解析結果に基づいてＰＤＬデータを画像に変換し、印刷モードへ展開する。
【００６２】
印刷モードとは、印刷対象となる画像のことであり、印刷手段４４で印刷可能なデータである。
【００６３】
印刷手段４４は、印刷モードに基づいて画像をプリントする。
【００６４】
ジョブ設定解析手段４１、ＰＤＬ展開手段４３は、それぞれ、原稿情報解析手段４２からの情報を加味して、各モードを決定する。
【００６５】
ジョブ設定解析手段４１は、原稿情報の解析結果とジョブ設定とを関連づけたジョブ設定テーブルを有し、前記印刷設定が自動設定である旨の解析がされた場合、前記ジョブ設定テーブルから前記原稿情報解析手段４２における原稿情報の解析結果に対応するジョブ設定に基づいてジョブモードを決定することが好ましい。
【００６６】
ジョブ設定とは、例えば、ステープルモード、章分け機能、差し込みページ機能、一枚集約機能が挙げられる。
【００６７】
かかるジョブ設定テーブル及びかかるジョブモードの決定及びそれに伴う処理について以下に説明する。
【００６８】
図８はステープルモードの決定及びそれに伴う処理の一例を示すフロー図であり、図９はステープルモードにかかるジョブ設定テーブルの一例を示す図であり、図１０は章分け機能の決定及びそれに伴う処理の一例を示すフロー図であり、図１１は差し込みページ機能の決定及びそれに伴う処理の一例を示すフロー図であり、図１２は一枚集約機能の決定及びそれに伴う処理の一例を示すフロー図であり、図１３は一枚集約機能にかかるジョブ設定テーブルの一例を示す図である。
【００６９】
（ステープルモード）
プリンタの一般的なステープラでは、紙に対して打てる物理的なステープルの位置に制約があるものが多く、その場合、画像を回転することで補っている。ここでは、紙の左側２ケ所のどちらか、または、両方にステープルを打てる場合を例にとって説明する。
【００７０】
図８において、ジョブ設定解析手段４１において印刷データを解析し（Ｓ１）、ステープル指定があるか否かが判断される（Ｓ２）。
【００７１】
Ｓ２において、ステープル指定があると判断された場合には、自動設定モードになっている（以下、自動設定ＯＮともいう）か否かが判断され（Ｓ３）、自動設定ＯＮの場合は、原稿情報から、画像の向き、縦書き／横書きの情報を取得し、図９に示すジョブ設定テーブルを用いて、ステープル位置を決定する処理を行う（Ｓ４）。ステープル指定あり、かつ、自動設定が選択されている場合、結果的に、図９に示したアルゴリズムで、画像回転の有無と、物理的なステープル位置が決定される。
【００７２】
また、Ｓ３において自動設定ＯＮでないと判断された場合は、指定された位置をステープル位置とする処理をする（Ｓ５）。
【００７３】
Ｓ４又はＳ５の処理をジョブ設定解析手段４１で行った後、ＰＤＬ展開手段４３において、決定されたステープル位置に基づいて画像回転を決定する（Ｓ６）。
【００７４】
Ｓ２でステープル指定がないと判断された場合、又はＳ６の処理を行った後、終了する。
【００７５】
（章分け機能）
章分けは、実際には、両面印刷、小冊子印刷などで、章の先頭を表面にそろえる機能である。章分けあり、かつ、自動設定ＯＮの場合、原稿情報に登録されている章区切り情報を、そのまま章分けのページ番号として使用する。
【００７６】
図１０において、まず、受信した印刷データをジョブ設定解析手段４１において解析する（Ｓ１０）。印刷設定を解析し、章分け指定があるか否かが判断される（Ｓ１１）。
【００７７】
Ｓ１１において章分け指定があると判断された場合は、自動設定モードになっているか否かが判断され（Ｓ１２）、自動設定ＯＮの場合は、原稿情報から章区切り情報を取得し、章分け位置とする（Ｓ１３）。
【００７８】
Ｓ１２で自動設定ＯＮでないと判断された場合は、指定された位置を章分け位置とする（Ｓ１４）。
【００７９】
Ｓ１０からＳ１３又はＳ１４の処理をジョブ設定解析手段４１で行った後、ＰＤＬ展開手段４３において、両面、小冊子等で実際の章分け処理を行う（Ｓ１５）。
【００８０】
Ｓ１１で章分け指定がないと判断された場合、又はＳ１５の処理を行った後、終了する。
【００８１】
（差し込みページ）
図１１において、ジョブ設定解析手段４１において印刷データを解析し（Ｓ２０）、差し込みページ指定があるか否かが判断される（Ｓ２１）。
【００８２】
Ｓ２１において、差し込みページ指定があると判断された場合には、自動設定モードになっている（以下、自動設定ＯＮともいう）か否かが判断され（Ｓ２２）、自動設定ＯＮの場合は、原稿情報から、章区切り情報を取得し、差し込みページ位置とする（Ｓ２３）。
【００８３】
また、Ｓ２２において自動設定ＯＮでないと判断された場合は、指定された位置を差し込みページ位置とする処理をする（Ｓ２４）。
【００８４】
Ｓ２０〜Ｓ２３又はＳ２４の処理はジョブ設定解析手段４１で行なわれる。また、Ｓ２１で差し込みページ指定がないと判断された場合、又はＳ２３の処理を行った後、終了する。
【００８５】
差し込みページ指定あり、かつ、自動設定ＯＮの場合、原稿情報の章区切り情報を、そのまま差し込みページ位置として使用する。
【００８６】
（一枚集約印刷）
例えば、２ｉｎ１を例にとって説明すると、２ｉｎ１指定あり、かつ、自動設定ＯＮの場合、原稿情報の画像の向き、および、縦書き／横書き情報から、図６で示した結果になるよう、画像の面付けを行う。
【００８７】
図１２において、ジョブ設定解析手段４１において印刷データを解析し（Ｓ３０）、１枚集約指定があるか否かが判断される（Ｓ３１）。
【００８８】
Ｓ３１において、１枚集約指定があると判断された場合には、自動設定モードになっている（以下、自動設定ＯＮともいう）か否かが判断され（Ｓ３２）、自動設定ＯＮの場合は、原稿情報から、画像の向き、縦書き／横書きの情報を取得し、面付きを行う（Ｓ３３）。このとき、図１３のジョブ設定テーブルを使用することが好ましい。
【００８９】
また、Ｓ３２において自動設定ＯＮでないと判断された場合は、指定された面付けを使用する処理をする（Ｓ３４）。
【００９０】
Ｓ３０〜Ｓ３３又はＳ３４の処理はジョブ設定解析手段４１で行なわれる。また、Ｓ３１で一枚集約指定がないと判断された場合、又はＳ３３の処理を行った後、終了する。
【００９１】
一枚集約印刷自体は、例えば、出力用紙サイズ１ページ分のビットマップメモリを持ち、そのビットマップメモリ上に、複数のページを順次展開していくことで実現できる。このとき、ビットマップメモリ上の座標を変更することにより、出力用紙上のどの位置に画像を形成するかを変更することが出来る。例えば、図１３に示すようなパラメータにより変更を可能とすることが出来る。
【００９２】
このように、プリンタ４０は、印刷設定情報、原稿情報から、自動的に最適な印刷モードを選択し、それに従って印刷を行う。
【００９３】
本発明の画像処理システムは、Ｗｅｂサーバ上の例えばＰＤＦ等の画像ファイルを、プリンタが直接ダウンロードして印刷する機能（プルプリント）にも応用できる。
【００９４】
また、共通フォーマット（ＰＤＦなど）を利用した印刷仲介システムにも応用できる。
【図面の簡単な説明】
【図１】本発明の画像処理システムの具体的構成例を示す図
【図２】本発明の画像処理システムの構成を示すブロック図
【図３】原稿の向きの関連づけの一例を示す図
【図４】本発明に係る画像管理テーブルの一例を示す図
【図５】最適な綴じ位置を説明するための図
【図６】一枚集約機能を説明するための図
【図７】プリンタの一例を説明するための機能ブロック図
【図８】ステープルモードの決定及びそれに伴う処理の一例を示すフロー図
【図９】ステープルモードにかかるジョブ設定テーブルの一例を示す図
【図１０】章分け機能の決定及びそれに伴う処理の一例を示すフロー図
【図１１】差し込みページ機能の決定及びそれに伴う処理の一例を示すフロー図
【図１２】一枚集約機能の決定及びそれに伴う処理の一例を示すフロー図
【図１３】一枚集約機能にかかるジョブ設定テーブルの一例を示す図
【符号の説明】
１０　　登録元クライアント
２０　　サーバ
２１　　画像登録手段
２２　　画像データ蓄積手段
２３　　原稿情報蓄積手段
２４　　画像管理手段
２４ａ　画像管理テーブル
２５　　印刷設定指示手段
２６　　印刷データ送信手段
３０　　印刷指示クライアント
４０　　プリンタ
４１　　ジョブ設定解析手段
４２　　原稿情報解析手段
４３　　ＰＤＬ展開手段
４４　　印刷手段
【図１】
2004030472.tif 000003
【図２】
2004030472.tif 000004
【図３】
2004030472.tif 000005
【図４】
2004030472.tif 000006
【図５】
2004030472.tif 000007
【図６】
2004030472.tif 000008
【図７】
2004030472.tif 000009
【図８】
2004030472.tif 000010
【図９】
2004030472.tif 000011
【図１０】
2004030472.tif 000012
【図１１】
2004030472.tif 000013
【図１２】
2004030472.tif 000014
【図１３】
2004030472.tif 000015